(57)【要約】【課題】  輝度むらを画面全体にわたって抑制し、全面均一な表示を可能にした電気光学装置、電気光学装置の駆動方法、電気光学装置の製造方法、及び電子機器を提供すること。【解決手段】  マトリクス状に配置された複数の画素を備え、各画素に設けた有機ＥＬ素子が画像データに基づき駆動される有機ＥＬ表示装置１において、各画素の有機ＥＬ素子を同一駆動条件で駆動して得た各画素の輝度比を格納したメモリ７と、メモリ７に格納された各画素の輝度比で各画素の実際の画像データを除算して各画素の実際の画像データを補正する制御回路６とを備える。補正された各画素の補正画像データに基づき各画素の有機ＥＬ素子を駆動する。表示パネル２の画面全体における輝度むらが画面全体にわたって抑制され、均一な表示が得られる。【選択図】      図１
2005283816.tif 000002
【特許請求の範囲】
【請求項１】
一列或いはマトリクス状に配置された複数の画素を備え、各画素に設けた電気光学素子が画像データに基づき駆動される電気光学装置において、
前記複数の画素の前記電気光学素子を同一駆動条件で駆動して得た前記各画素の輝度比を格納した記憶手段と、
前記記憶手段に格納された前記各画素の輝度比に基づき、前記各画素の実際の画像データを補正する補正手段と、を備え、
前記補正手段で補正された各画素の補正画像データに基づき前記各画素の電気光学素子を駆動することを特徴とする電気光学装置。
【請求項２】
請求項１に記載の電気光学装置において、
前記補正手段は、前記記憶手段に格納された前記各画素の輝度比で前記各画素の実際の画像データを除算して、前記各画素の実際の画像データを補正することを特徴とする電気光学装置。
【請求項３】
請求項１または２に記載の電気光学装置において、
前記マトリクス状に配置された複数の画素に前記電気光学素子として有機ＥＬ素子が設けられた表示パネルを備えることを特徴とする電気光学装置。
【請求項４】
請求項１に記載の電気光学装置において、
前記電気光学素子としての複数の発光素子が一列或いはマトリクス状に配置された発光素子アレイを含むプリントヘッドと、感光ドラムと、を備え、前記複数の発光素子からの出射光を前記感光ドラム上に照射して点像として結像させるように構成されていることを特徴とする電気光学装置。
【請求項５】
一列或いはマトリクス状に配置された複数の画素を備え、各画素に設けた電気光学素子が画像データに基づき駆動される電気光学装置の駆動方法において、
前記複数の画素の前記電気光学素子を同一駆動条件で駆動して得た前記各画素の輝度比を格納した記憶手段を備え、
前記記憶手段に格納された前記各画素の輝度比に基づき、前記各画素の実際の画像データを補正した各画素の補正画像データを作成し、
前記各画素の補正画像データに基づき前記各画素の電気光学素子を駆動する、
ことを特徴とする電気光学装置の駆動方法。
【請求項６】
請求項５に記載の電気光学装置の駆動方法において、
前記記憶手段に格納された前記各画素の輝度比で前記各画素の実際の画像データを除算して、前記各画素の実際の画像データを補正した各画素の補正画像データを作成することを特徴とする電気光学装置の駆動方法。
【請求項７】
一列或いはマトリクス状に配置された複数の画素を備え、各画素に設けた電気光学素子が画像データに基づき駆動される電気光学装置の製造方法において、
前記複数の画素の前記電気光学素子を同一駆動条件で駆動して前記各画素の輝度を測定する段階と、
前記各画素の輝度の測定値を前記各画素の輝度比に変換する段階と、
前記各画素の輝度比を格納した記憶手段を作製する段階と、を備えることを特徴とする電気光学装置の製造方法。
【請求項８】
請求項７に記載の電気光学装置の製造方法において、
前記電気光学素子は有機ＥＬ素子であり、
前記同一駆動条件が定電流駆動であることを特徴とする電気光学装置の製造方法。
【請求項９】
請求項７に記載の電気光学装置の製造方法において、
前記電気光学素子は有機ＥＬ素子であり、
前記同一駆動条件が定電圧駆動であることを特徴とする電気光学装置の製造方法。
【請求項１０】
請求項１〜４のいずれか１つに記載の電気光学装置を備えたことを特徴とする電子機器。
【発明の詳細な説明】
【技術分野】
【０００１】
本発明は、有機ＥＬ表示装置等の電気光学装置、電気光学装置の駆動方法、電気光学装置の製造方法、及び電子機器に関する。
【背景技術】
【０００２】
電気光学装置として、例えば、有機エレクトロルミネッセンス（以下、「有機ＥＬ」という）表示装置が知られている。有機ＥＬ表示装置は、高輝度、高視野角、薄型、高速応答、低消費電力といった優れた特徴を備えるとともに、ポリシリコンＴＦＴ（薄膜トランジスタ）を用いた周辺駆動回路により、さらなる小型化、軽量化を実現できることから注目されている。
【０００３】
ところで、有機ＥＬ表示装置において画面内の輝度むらを防止しつつ画面全体の輝度レベルを常に一定の範囲内に維持させるのを目的とする従来技術が知られている（例えば、特許文献１参照）。
【０００４】
この従来技術では、各画素の発光素子を順次、単独で発光させた際に流れる発光駆動電流値を測定しておき、測定した発光駆動電流値に基づいて画像データに対する輝度補正を行う。そのために、測定した発光駆動電流値各々の内の１つが所定の基準電流値と等しくなるように発光素子各々に供給する駆動電圧を調整する。具体的には、各有機ＥＬ素子（発光素子）に流れる発光駆動電流の内で最も小なる発光駆動電流値が、有機ＥＬ素子を所望の輝度範囲内で発光させる際に必要となる発光駆動電流値となるように駆動電圧の電圧調整が為される（特許文献１の段落「００３０」参照）。
【特許文献１】特開２００３−２０２８３７号公報
【発明の開示】
【発明が解決しようとする課題】
【０００５】
ところで、上記特許文献１の従来技術は、測定した発光駆動電流値各々の内の１つ、具体的には各発光素子に流れる発光駆動電流の内で最も小なる発光駆動電流値が所定の基準電流値と等しくなるように発光素子各々に供給する駆動電圧を調整する方式をとっている。
【０００６】
そのため、表示パネルの画面全体における輝度むら、例えば、画面周辺部が画面中央部より暗くなる等の、製造工程で生じる表示パネル固有の輝度むらを抑制して、画面全体にわたって均一な表示を得るのは難しい。こうした、表示パネル固有の初期的な輝度むらは、各画素の有機ＥＬ素子を、インクジェット法などの液相法により作製した有機ＥＬ表示装置において通常生じる。
【０００７】
本発明は、このような従来の問題点に鑑みてなされたもので、その目的は、輝度むらを画面全体にわたって抑制し、全面均一な表示を可能にした電気光学装置、電気光学装置の駆動方法、電気光学装置の製造方法、及び電子機器を提供することにある。
【課題を解決するための手段】
【０００８】
本発明における電気光学装置は、一列或いはマトリクス状に配置された複数の画素を備え、各画素に設けた電気光学素子が画像データに基づき駆動される電気光学装置において、前記複数の画素の前記電気光学素子を同一駆動条件で駆動して得た前記各画素の輝度比を格納した記憶手段と、前記記憶手段に格納された前記各画素の輝度比に基づき、前記各
画素の実際の画像データを補正する補正手段と、を備え、前記補正手段で補正された各画素の補正画像データに基づき前記各画素の電気光学素子を駆動することを要旨とする。
【０００９】
これによれば、記憶手段に格納された各画素の輝度比に基づき各画素の実際の画像データを補正し、補正された各画素の補正画像データに基づき各画素の電気光学素子を駆動する。そのため、表示パネルの画面全体における輝度むら、例えば、画面周辺部が画面中央部より暗くなる等の、製造工程で生じる表示パネル固有の輝度むらを抑制して、画面全体にわたって均一な表示を得ることができる。
【００１０】
また、各画素の輝度比に基づいて各画素の実際の画像データを補正するので、前記製造工程で生じる輝度むらに限らず、表示パネル固有のどのような輝度むらにも、製品出荷前に対処することができる。
【００１１】
したがって、輝度むらを画面全体にわたって抑制することができ、全面均一な表示を実現することができる。
なお、ここにいう「各画素の輝度比」とは、複数の画素全ての電気光学素子を同一駆動条件で駆動したときの全画素の輝度を測定しておき、複数の画素のうちの任意の画素、例えば中心部にある画素の輝度を基準にした各画素の輝度比をいう。
【００１２】
また、「同一駆動条件で駆動」とは、同一輝度の画像データで駆動することを意味する。
さらに、各画素の輝度比は、例えば次のようにして求める。複数の画素全てを最も明るい輝度で表示させる全白の信号で電気光学装置を駆動したときの画面全体を画像として取り込み、この画像データを解析して各画素ごとの輝度データ（図４参照）を得る。各画素ごとの輝度データに基づき、中心部にある画素の輝度を基準として、各画素の輝度比を算出する。
【００１３】
この電気光学装置において、前記補正手段は、前記記憶手段に格納された前記各画素の輝度比で前記各画素の実際の画像データを除算して、前記各画素の実際の画像データを補正することを要旨とする。
【００１４】
これによれば、各画素の実際の画像データを各画素の輝度比に応じて補正することができる。これにより、製造工程で生じる輝度むらを画面全体にわたって抑制して、全面均一な表示を得ることができる。
【００１５】
この電気光学装置において、前記マトリクス状に配置された複数の画素に前記電気光学素子として有機ＥＬ素子が設けられた表示パネルを備えることを要旨とする。
これによれば、各画素の有機ＥＬ素子をインクジェット法などの液相法により作製する製造工程で生じる初期的な固有の輝度むらを抑制して、表示パネルの画面全体にわたって均一な表示が可能な有機ＥＬ表示装置を実現することができる。
【００１６】
この電気光学装置において、前記電気光学素子としての複数の発光素子が一列或いはマトリクス状に配置された発光素子アレイを含むプリントヘッドと、感光ドラムと、を備え、前記複数の発光素子からの出射光を前記感光ドラム上に照射して点像として結像させるように構成されていることを要旨とする。
【００１７】
これによれば、感光体プリンタにおいて、各発光素子間の輝度補正をすることができるので、印刷むらが抑制された高品質な印刷を実現することができる。
本発明における電気光学装置の駆動方法は、一列或いはマトリクス状に配置された複数の画素を備え、各画素に設けた電気光学素子が画像データに基づき駆動される電気光学装
置の駆動方法において、前記複数の画素の前記電気光学素子を同一駆動条件で駆動して得た前記各画素の輝度比を格納した記憶手段を備え、前記記憶手段に格納された前記各画素の輝度比に基づき、前記各画素の実際の画像データを補正した各画素の補正画像データを作成し、前記各画素の補正画像データに基づき前記各画素の電気光学素子を駆動する、ことを要旨とする。
【００１８】
これによれば、記憶手段に格納された各画素の輝度比に基づき各画素の実際の画像データを補正する。そのため、表示パネルの画面全体における輝度むら、例えば、画面周辺部が画面中央部より暗くなる等の、製造工程で生じる表示パネル固有の輝度むらを抑制して、画面全体にわたって均一な表示を得ることができる。したがって、輝度むらを画面全体にわたって抑制することができ、全面均一な表示或いは印刷を実現することができる。
【００１９】
この電気光学装置の駆動方法において、前記記憶手段に格納された前記各画素の輝度比で前記各画素の実際の画像データを除算して、前記各画素の実際の画像データを補正した各画素の補正画像データを作成することを要旨とする。
【００２０】
これによれば、各画素の実際の画像データを各画素の輝度比に応じて補正することができる。これにより、製造工程で生じる輝度むらを画面全体にわたって抑制して、全面均一な表示を得ることができる。
【００２１】
本発明における電気光学装置の製造方法は、一列或いはマトリクス状に配置された複数の画素を備え、各画素に設けた電気光学素子が画像データに基づき駆動される電気光学装置の製造方法において、前記複数の画素の前記電気光学素子を同一駆動条件で駆動して前記各画素の輝度を測定する段階と、前記各画素の輝度の測定値を前記各画素の輝度比に変換する段階と、前記各画素の輝度比を格納した記憶手段を作製する段階と、を備えることを要旨とする。
【００２２】
これによれば、各画素の輝度比を格納した記憶手段を作製することで、出荷後の電気光学装置の使用時には、記憶手段に格納された各画素の輝度比に基づき各画素の実際の画像データを補正して各画素の輝度補正を行うことで、製造工程で生じる輝度むらが抑制された全面均一な表示を実現することができる。また、インクジェット法などの液相法により電気光学素子としての有機ＥＬ素子などを作製する場合、歩留まりを向上することができる。
【００２３】
この電気光学装置の製造方法において、前記電気光学素子は有機ＥＬ素子であり、前記同一駆動条件が定電流駆動であることを要旨とする。
これによれば、電流プログラム方式で駆動する有機ＥＬ表示装置等の電気光学装置において、製造工程で生じる輝度むらを画面全体にわたって抑制することができ、全面均一な表示を実現することができる。
【００２４】
この電気光学装置の製造方法において、前記電気光学素子は有機ＥＬ素子であり、前記同一駆動条件が定電圧駆動であることを要旨とする。
これによれば、電圧プログラム方式で駆動する有機ＥＬ表示装置等の電気光学装置において、製造工程で生じる輝度むらを画面全体にわたって抑制することができ、全面均一な表示を実現することができる。
【００２５】
本発明における電子機器は、上記電気光学装置を備えたことを要旨とする。
これによれば、製造工程で生じる輝度むらが抑制された全面均一な表示を実現することができる。
【発明を実施するための最良の形態】
【００２６】
以下、本発明を具体化した各実施形態を図面に基づいて説明する。
[第１実施形態]
本発明の第１実施形態に係る有機ＥＬ表示装置を図１〜図６に基づいて説明する。
【００２７】
（有機ＥＬ表示装置の構成）
図１に示す電気光学装置としての有機ＥＬ表示装置１は、電流プログラム方式を採用している。この有機ＥＬ表示装置１は、表示パネル２、データ線駆動回路３、走査線駆動回路４Ｌ，４Ｒ、制御回路６、及びメモリ７を備えている。
【００２８】
表示パネル２は、図１に示すように、行方向に延びるｎ本の第１走査線Ｙ１〜Ｙｎ（ｎは整数）と列方向に延びるｍ本のデータ線Ｘ１〜Ｘｍ（ｍは整数）との交差部に対応する個所にｎ行ｍ列に配列された複数の画素１０（図２（ａ）参照）を有している。また、表示パネル２は、行方向に延びるｎ本の第２走査線Ｙ１１〜Ｙｎ１を有している。
【００２９】
複数の画素１０は、例えば、Ｒ，Ｇ，Ｂの順に配置された赤用画素，緑用画素及び青用画素の３つの画素でそれぞれ構成されている。従って、この表示パネル２では、走査線Ｙ１〜Ｙｎの各々にｍ×３個の画素がＲ，Ｇ，Ｂの順に接続されている。なお、図１では、説明を簡単にするために、ｍ本のデータ線Ｘ１〜Ｘｍのみを示してある。
【００３０】
走査線駆動回路４Ｌは、垂直同期信号などの同期信号、クロック信号などに同期して、Ｈレベルのプログラム期間選択信号Ｖｐｒｇ（図２（ｂ）参照）を順に生成して出力することで、第１走査線Ｙ１〜Ｙｎを線順次走査により一つずつ順に選択するようになっている。図２（ｂ）では、第１走査線Ｙ１〜Ｙｎのうち、第１行目の第１走査線Ｙ１にプログラム期間選択信号Ｖｐｒｇが出力されるプログラム期間（ｔ１時点からｔ２時点までの期間）のみを示してある。
【００３１】
走査線駆動回路４Ｒは、垂直同期信号などの同期信号、クロック信号などに同期して、Ｈレベルの発光期間選択信号Ｖｒｅｐ（図２（ｂ）参照）を順に生成して出力することで、第２走査線Ｙ１１〜Ｙｎ１を線順次走査により一つずつ順に選択するようになっている。なお、図２（ｂ）では、第２走査線Ｙ１１〜Ｙｎ１のうち、第１行目の第２走査線Ｙ１１にＨレベルの発光期間選択信号Ｖｒｅｐが出力される発光期間（ｔ２時点からｔ３時点までの期間）のみを示してある。
【００３２】
そして、データ線駆動回路３は、上記プログラム期間に、選択された１本の第１走査線に接続された各画素回路２０に、データ線Ｘ１〜Ｘｍをそれぞれ介してプログラム信号電流Ｉｓｉｇ（図２（ｂ）参照）を一斉に供給するようになっている。赤用画素，緑用画素及び青用画素の各画素回路２０には、赤用のプログラム信号電流Ｉｓｉｇ，緑用のプログラム信号電流Ｉｓｉｇ及び青用のプログラム信号電流Ｉｓｉｇがそれぞれ供給される。各プログラム信号電流Ｉｓｉｇはそれぞれ、例えば、階調表示のための８ビットのデジタル階調データである赤用，緑用及び青用の各表示データ（各画像データ）をデータ線駆動回路３内でＤ−Ａ変換した電流信号である。
【００３３】
データ線駆動回路３は、プログラム信号電流Ｉｓｉｇをデータ線Ｘ１〜Ｘｍを介して各画素回路２０に書き込むためのサンプリング回路、サンプリング回路の動作タイミングをコントロールするシフトレジスタ、ラッチ回路、及びデジタル／アナログ変換器、等を備える。ラッチ回路は、ビデオ信号線（図示略）に入力される各画素のデジタル階調データ（画像データ）を１行分保持する。
【００３４】
上述した赤用画素，緑用画素及び青用画素の各画素回路２０は、有機半導体材料で構成
された発光層から赤色，緑色および青色の光をそれぞれ放射する電気光学素子としての有機ＥＬ素子２１（図２（ａ）参照）を有している。赤用画素，緑用画素及び青用画素の各画素回路２０は、各々の有機ＥＬ素子２１から放射される光の色が異なる以外は、同じ回路構成である。
【００３５】
画素回路２０の構成を図２（ａ）に基づいて説明する。
画素回路２０は、駆動トランジスタＴｄｒ、プログラム用トランジスタＴｐｒｇ、プログラム時選択トランジスタＴｓｉｇ、発光時選択トランジスタＴｒｅｐ及び保持容量Ｃｓｔｇを有している。駆動トランジスタＴｄｒはＰチャネルＴＦＴで構成されている。プログラム用トランジスタＴｐｒｇ、プログラム時選択トランジスタＴｓｉｇ及び発光時選択トランジスタＴｒｅｐは、ＮチャネルＴＦＴでそれぞれ構成されている。
【００３６】
駆動トランジスタＴｄｒのドレインは発光時選択トランジスタＴｒｅｐを介して有機ＥＬ素子２１の陽極に接続され、有機ＥＬ素子２１の陰極は接地されている。また、駆動トランジスタＴｄｒのドレインはプログラム時選択トランジスタＴｓｉｇを介して１つのデータ線（図２（ａ）ではデータ線Ｘ１）に接続されている。また、駆動トランジスタＴｄｒのソースは高電位電源Ｖｄｄに接続されている。さらに、駆動トランジスタＴｄｒのゲートは保持容量Ｃｓｔｇの第１の電極に接続され、その保持容量Ｃｓｔｇの第２の電極は高電位電源Ｖｄｄに接続されている。プログラム用トランジスタＴｐｒｇは、駆動トランジスタＴｄｒのゲート・ドレイン間に接続されている。
【００３７】
プログラム時選択トランジスタＴｓｉｇ及びプログラム用トランジスタＴｐｒｇの各ゲートは、第１走査線の１つ（同図では第１走査線Ｙ１）に接続されている。そして、プログラム時選択トランジスタＴｓｉｇ及びプログラム用トランジスタＴｐｒｇは、第１走査線Ｙ１からのＨレベルのプログラム期間選択信号Ｖｐｒｇに応答してオン状態となり、ＬレベルのＶｐｒｇに応答してオフ状態となる。そして、本実施形態では、プログラム時選択トランジスタＴｓｉｇ及びプログラム用トランジスタＴｐｒｇがオン状態となると、データ線Ｘ１に上記プログラム信号電流Ｉｓｉｇが供給されるようになっている。
【００３８】
発光時選択トランジスタＴｒｅｐのゲートは、第２走査線の１つ（同図ではＹ１１）に接続されている。また、発光時選択トランジスタＴｒｅｐは、第２走査線Ｙ１１からのＨレベルの発光期間選択信号Ｖｒｅｐに応答してオン状態となり、ＬレベルのＶｒｅｐに応答してオフ状態となる。そして、発光時選択トランジスタＴｒｅｐがオン状態になると、駆動トランジスタＴｄｒのオン状態に基づく駆動トランジスタ供給電流ＩｄｒをＯＬＥＤ供給電流Ｉｏｌｅｄとして有機ＥＬ素子２１に供給するようになっている。
【００３９】
次に、各画素回路２０の動作を、図２（ｂ）に基づいて簡単に説明する。
１．プログラム期間
いま、第１走査線Ｙ１からＨレベルのプログラム期間選択信号Ｖｐｒｇが供給されると、プログラム用トランジスタＴｐｒｇ及びプログラム時選択トランジスタＴｓｉｇはオン状態に設定される。このとき、第２走査線Ｙ１１からＬレベルの発光期間選択信号Ｖｒｅｐが供給されていて、発光時選択トランジスタＴｒｅｐはオフ状態に設定されている。このとき、データ線Ｘ１にプログラム信号電流Ｉｓｉｇが供給される。そして、プログラム用トランジスタＴｐｒｇがオン状態になることによって駆動トランジスタＴｄｒはダイオード接続となる。その結果、そのプログラム信号電流Ｉｓｉｇが、駆動トランジスタＴｄｒ→プログラム時選択トランジスタＴｓｉｇ→データ線Ｘ１という経路で流れる。このとき、駆動トランジスタＴｄｒのゲートの電位に対応した電荷が保持容量Ｃｓｔｇに蓄積される。
【００４０】
２．発光期間
この状態から、プログラム期間選択信号ＶｐｒｇがＬレベルとなり、発光期間選択信号ＶｒｅｐがＨレベルとなると、プログラム用トランジスタＴｐｒｇ及びプログラム時選択トランジスタＴｓｉｇがオフ状態に設定され、発光時選択トランジスタＴｒｅｐはオン状態に設定される。このとき、保持容量Ｃｓｔｇの電荷の蓄積状態は変化しないので、駆動トランジスタＴｄｒのゲート電位は、プログラム信号電流Ｉｓｉｇが流れたときの電圧に保持されている。従って、駆動トランジスタＴｄｒのソース・ドレイン間には、そのゲート電圧に応じた大きさの駆動トランジスタ供給電流Ｉｄｒ（ＯＬＥＤ供給電流Ｉｏｌｅｄ）が流れる。詳しくは、ＯＬＥＤ供給電流Ｉｏｌｅｄは、駆動トランジスタＴｄｒ→発光時選択トランジスタＴｒｅｐ→有機ＥＬ素子２１という経路で流れる。これによって、有機ＥＬ素子２１は、ＯＬＥＤ供給電流Ｉｏｌｅｄ（プログラム信号電流Ｉｓｉｇ）に応じた輝度で発光する。
【００４１】
このような動作が、第１走査線Ｙ２〜Ｙｎにそれぞれ接続された各画素回路２０において順に行われて１フレーム分の表示がなされる。
このように、本実施形態に係る有機ＥＬ表示装置１は、マトリクス状に配置された複数の画素１０を備え、各画素１０に設けた電気光学素子としての有機ＥＬ素子２１が８ビットのデジタル階調データである赤用，緑用及び青用の各表示データ（各画像データ）に基づき駆動される。
【００４２】
さらに、この有機ＥＬ表示装置１の特徴は、複数の画素１０の各有機ＥＬ素子２１を同一駆動条件で駆動して得た各画素１０の輝度比を格納した記憶手段としてのメモリ７と、メモリ７に格納された各画素の輝度比で各画素の実際の表示データを除算して、各画素の実際の表示データを補正する補正手段と、を備えている点にある。その補正手段は、本例では、制御回路６内に設けた補正回路（図示省略）により構成されている。
【００４３】
（有機ＥＬ表示装置１の製造方法）
次に、有機ＥＬ表示装置１の製造方法を、図３〜図５に基づいて説明する。
上述した有機ＥＬ表示装置１の製造方法は、図３に示すように以下の段階（１）〜（６）を含む。
【００４４】
（１）図１に示す上述した表示パネル２（有機ＥＬディスプレイ）を作製する（ステップＳ１）。
ここで、表示パネル２及び有機ＥＬ表示装置１は、次の手順で作製する。
【００４５】
ガラス基板（図示省略）上に、駆動トランジスタＴｄｒ、プログラム用トランジスタＴｐｒｇ、プログラム時選択トランジスタＴｓｉｇ及び発光時選択トランジスタＴｒｅｐなどのＴＦＴ素子を形成する。さらに、透明陽極（ＩＴＯ）、この透明陽極上に各画素１０を囲むように、親液性のある第１バンク（図示省略）と、撥液性のある第２バンク（図示省略）とを形成する。各バンクで囲まれる凹部（被塗布領域）内に、有機材料液をインクジェット法で吐出し、その有機材料液を乾燥して有機ＥＬ素子２１の正孔注入層を形成する。次に、その正孔注入層の上に有機材料液をインクジェット法で吐出し、その有機材料液を乾燥して各色の発光層を形成する。さらに、保護陰極としてアルミニウムを所定の厚みに蒸着する。この保護陰極上を封止して表示パネル２が出来上がる。この表示パネル２に、図１に示すデータ線駆動回路３、走査線駆動回路４Ｌ，４Ｒ、及び制御回路６など、メモリ７を除く周辺回路を実装する。
【００４６】
（２）複数の画素１０の有機ＥＬ素子２１を同一駆動条件で駆動して各画素１０の輝度を測定する（ステップＳ２）。
ここでは、１画素ごとの輝度を全ての画素について測定する。
【００４７】
また、上記有機ＥＬ表示装置１は電流プログラム方式であるので、同一駆動条件が定電流駆動である。例えば、複数の画素全てを最も明るい輝度で表示させる全白の信号、つまり階調度の最も高い表示データ（画像データ）をＤ−Ａ変換した電流値が最大のプログラム信号電流Ｉｓｉｇによって、全ての画素の有機ＥＬ素子２１を駆動する。
【００４８】
各画素１０の輝度の測定は、有機ＥＬ表示装置１を定電流駆動したときの画面全体を画像として取り込み、この画像データを解析して各画素１０ごとの輝度データを得る。
（３）ステップＳ２で測定した各画素１０の輝度データを、ｎ行×（ｍ×３）列に配置された各画素１０のアドレスに対応づけた図４に示すような全画素輝度マップを作製する（ステップＳ３）。図４では、画素を間引いて示してあるが、全ての画素の輝度データを示す全画素輝度マップを作製する。図４に示す全画素の輝度データ例では、表示パネル２の中心部にある４つの画素の輝度がそれぞれ「９６」になっており、その周辺部にある画素の輝度は「８０」、「８１」などになっている。図４から、中心部にある画素の輝度よりも、周辺部にある画素の輝度の方が低くなっていることが分かる。
【００４９】
（４）図４に示す全画素輝度マップにおける各画素の輝度の測定値（輝度データ）を各画素の輝度比に変換する（ステップＳ４）。
ここでは、各画素の輝度データを、表示パネル２の中心部にある画素の輝度を基準とした輝度比に変換する。例えば、各画素の輝度データを、図５に示すように、中心部にある画素の輝度比を「１００」とした各画素の輝度比に変換する。図５に示す全画素の輝度比の例では、輝度比が「８５」或いは「８６」の画素の輝度は、輝度比が「１００」である中心部の画素の輝度の８５％或いは８６％であること等が示されている。
【００５０】
（５）図５に示す各画素の輝度比（全ての画素の輝度比）を格納したメモリ７（図１参照）を作製する（ステップＳ５）。
（６）最後に、メモリ７を実装する（ステップＳ６）。これにより、有機ＥＬ表示装置１が完成する。
【００５１】
（有機ＥＬ表示装置１の駆動方法）
次に、完成した有機ＥＬ表示装置１の駆動方法を、図６に基づいて説明する。
○メモリ７から、格納された各画素の輝度比を読み出す（ステップＳ１０）
○次に、各画素の表示データ（各画素の実際の画像データ）を、ステップＳ１０で読み出した各画素の輝度比で除算して、各画素の表示データを補正した各画素の補正表示データ（補正画像データ）を作成する（ステップＳ２０）。
【００５２】
○作成した各画素の補正表示データに基づき各画素の有機ＥＬ素子２１を駆動する（ステップＳ３０）。
このようにして各画素の実際の表示データを、各画素の輝度比で除算して各画素の補正表示データを作成し、各画素の補正表示データに基づき各画素の有機ＥＬ素子２１を駆動することで、全ての画素の有機ＥＬ素子２１を同一駆動条件で駆動したときに、全ての画素の輝度を同じにすることができる。
【００５３】
上記ステップＳ１０，Ｓ２０及びＳ３０の各動作を、制御回路６が実行するようになっている。
以上のように構成された第１実施形態によれば、以下の作用効果を奏する。
【００５４】
○メモリ７に格納された各画素の輝度比で各画素の実際の表示データ（画像データ）を除算して、各画素の実際の画像データを補正し、補正された各画素の補正表示データに基づき各画素の有機ＥＬ素子２１を駆動する。そのため、表示パネル２の画面全体における輝度むら、例えば、画面周辺部が画面中央部より暗くなる等の、製造工程で生じる表示パ
ネル２固有の輝度むらを抑制して、画面全体にわたって均一な表示を得ることができる。したがって、製造工程で生じる輝度むらを画面全体にわたって抑制することができ、全面均一な表示を実現することができる。
【００５５】
○各画素の有機ＥＬ素子２１をインクジェット法などの液相法により作製する製造工程で生じる初期的な固有の輝度むらを画面全体にわたって抑制して、表示パネルの画面全体にわたって均一な表示が可能な有機ＥＬ表示装置を実現することができる。
【００５６】
○各画素の輝度比に基づいて各画素の実際の表示データを補正するので、上記製造工程で生じる輝度むらに限らず、表示パネル２固有のどのような輝度むらにも、製品出荷前に対処することができる。
【００５７】
○インクジェット法などの液相法により各画素の有機ＥＬ素子２１を作製すると、中心部の画素よりも周辺部の画素の方が暗くなるが、上述したように画面全体にわたって輝度むら抑制することができるので、表示パネル２の歩留まりを向上することができる。
【００５８】
○有機ＥＬ表示装置１は電流プログラム方式であるので、複数の画素１０の有機ＥＬ素子２１を同一駆動条件で駆動して各画素１０の輝度を測定する際に（ステップＳ２）、同一駆動条件が定電流駆動である。これにより、電流プログラム方式で駆動する有機ＥＬ表示装置１において、画面全体にわたって輝度むらを抑制することができ、全面均一な表示を実現することができる。
【００５９】
[第２実施形態]
次に、本発明の第２実施形態に係る感光体プリンタを、図７に基づいて説明する。
図７に示す電気光学装置としての感光体プリンタ４０は、いわゆる電子写真方式の光プリンタであり、ＬＥＤプリントヘッド４１と、感光ドラム４２と、コントローラ４３と、メモリ４４とを備える。
【００６０】
ＬＥＤプリントヘッド４１は、電気光学素子としての複数のＬＥＤ（発光素子）が一列或いはマトリクス状に配置されたＬＥＤアレイ（発光素子アレイ）４５と、複数のＬＥＤからの各出射光を感光ドラム４２の感光体上に結像させるレンズアレイ４６とを備える。このレンズアレイ４６は、例えば複数のロッドレンズを含むロッドレンズアレイで構成されている。
【００６１】
ＬＥＤアレイ４５は、基板上にＬＥＤアレイチップ及びＩＣドライバチップを実装して構成されている。ＬＥＤアレイ４５では、画像データとしてのシリアル信号等の印刷データに応じてＬＥＤ毎のオン、オフがなされる。そして、オンになったＬＥＤの出射光からなる点像（光情報）が、レンズアレイ４６により感光ドラム４２の感光体上に形成される。
【００６２】
円筒形の感光ドラム４２の表面には、アモルファスＳｉ等の光導電性を持つ材料（感光体）が作られている。この感光ドラム４２はプリントの速度で回転し、その感光体表面を帯電器（図示省略）で一様に帯電させる。そして、ＬＥＤプリントヘッド４１により、印字するドットイメージの光（光情報）即ち点像を感光ドラム４２の感光体上に照射し、光の当たったところの帯電を中和する。続いて、現像器（図示省略）で感光体上の帯電状態にしたがって、トナーを感光体上につける。そして、転写器（図示省略）でカセットの中から送られてきた用紙上に、トナーを転写する。用紙は、定着器（図示省略）にて熱等を加えられ定着され、スタッカ（図示省略）に送られる。一方、転写の終了した感光ドラム４２は、消去ランプ（図示省略）で帯電が全面にわたって中和され、清掃器（図示省略）で残ったトナーが除去される。
【００６３】
第２実施形態に係る感光体プリンタ４０の特徴は、コントローラ４３と、メモリ４４とを備える点にある。
コントローラ４３は、図１に示す上記メモリ７と同様の記憶手段としてのメモリ４４に格納された各ＬＥＤの輝度比（各画素の輝度比）で各画素の実際の表示データを除算して、各画素の実際の表示データを補正する補正手段に相当する。なお、ここにいう「各画素の実際の表示データ」は、ＬＥＤアレイ４５の複数のＬＥＤのオン、オフを制御するための印刷データである。
【００６４】
メモリ４４には、ＬＥＤアレイ４５の複数のＬＥＤの全てを、上記第１実施形態における各画素の有機ＥＬ素子２１の場合と同様に同一駆動条件で駆動して得た各ＬＥＤの輝度比が、メモリ７と同様に格納されている。
【００６５】
以上のように構成された第２実施形態によれば、以下の作用効果を奏する。
○感光体プリンタ４０において、各ＬＥＤ（発光素子）間の輝度補正をすることができるので、印刷むらが抑制された高品質な印刷を実現することができる。
【００６６】
［電子機器］
次に、上記第１実施形態で説明した有機ＥＬ表示装置１を用いた電子機器について説明する。有機ＥＬ表示装置１は、図８に示すようなモバイル型のパーソナルコンピュータに適用できる。図８に示すパーソナルコンピュータ７０は、キーボード７１を備えた本体部７２と、有機ＥＬ表示装置１を用いた表示ユニット７３とを備えている。
【００６７】
パーソナルコンピュータ７０によれば、製造工程で生じる輝度むらを画面全体にわたって抑制することができ、全面均一な表示を実現することができる。
[変形例]
なお、この発明は以下のように変更して具体化することもできる。
【００６８】
・上記第１実施形態では、一例として、図１に示す電気的構成を有するとともに、図２（ａ）に示すような回路構成の画素回路２０を有する有機ＥＬ表示装置１について説明したが、本発明はこのような構成の有機ＥＬ表示装置に限定されない。本発明は、製造工程で輝度むらの生じる有機ＥＬ表示装置に広く適用可能である。
【００６９】
・上記第１実施形態では、メモリ７に格納された各画素の輝度比で各画素の実際の表示データを除算して、各画素の実際の表示データを補正する補正手段としての補正回路を制御回路６内に設けてあるが、その補正回路を制御回路６とは独立して設けた構成にも本発明は適用可能である。
【００７０】
・上記第１実施形態では、電流プログラム方式の有機ＥＬ表示装置１について説明したが、電圧プログラム方式の有機ＥＬ表示装置にも本発明は適用可能である。この場合、複数の画素１０の有機ＥＬ素子２１を同一駆動条件で駆動して各画素１０の輝度を測定する際に（ステップＳ２）、同一駆動条件を定電圧駆動とする。これにより、電圧プログラム方式で駆動する有機ＥＬ表示装置において、製造工程で生じる輝度むらを画面全体にわたって抑制することができ、全面均一な表示を実現することができる。
【００７１】
・上記第１実施形態では、１画素ごとの輝度を全ての画素について測定するようにしているが、本発明はこれに限定されない。全ての画素を複数の画素からなる複数の画素領域に分け、各画素領域ごとに輝度を測定し、各画素領域の輝度比をメモリ７に記憶させて、各画素領域単位で輝度補正するようにしても良い。
【００７２】
・上記第１実施形態では、メモリ７に格納された各画素の輝度比で各画素の実際の表示データを除算して、各画素の実際の画像データを補正しているが、本発明はこれに限定されない。例えば、各画素の輝度比と、これとは別のパラメータ（輝度むらを補正するための補正値）とで各画素の実際の画像データを補正する場合にも、本発明は適用可能である。
【００７３】
・上記第１実施形態では、電気光学装置としての有機ＥＬ表示装置１に本発明を適用した例について説明したが、本発明は電気光学装置としての液晶表示装置にも適用可能である。例えば、１フレームごとに全画面同極性で、正極性のデータ信号と負極性のデータ信号を交互に書き込む「フレーム反転駆動」を行う液晶表示装置に本発明を適用することで、「上下方向の輝度むら」を抑制することができる。
【００７４】
・上記第１実施形態に係る有機ＥＬ表示装置１は、図８に示すようなパーソナルコンピュータに限らず、携帯電話、デジタルカメラ等の各種の電子機器に適用できる。
・上記第２実施形態では、電気光学装置としての感光体プリンタの一例について説明したが、本発明はこの感光体プリンタに限定されず、複数のＬＥＤが一列或いはマトリクス状に配置された発光素子アレイを含む各種の光プリンタに適用可能である。
【図面の簡単な説明】
【００７５】
【図１】第１実施形態に係る有機ＥＬ表示装置の概略的な電気的構成を示すブロック図。
【図２】（ａ）は１つの画素回路の電気的等価回路を示す回路図、（ｂ）は有機ＥＬ表示装置の動作を説明するためのタイミングチャート。
【図３】第１実施形態に係る有機ＥＬ表示装置の製造方法を示す工程図。
【図４】全画素の輝度データのマップを示す説明図。
【図５】全画素の輝度比のマップを示す説明図。
【図６】第１実施形態に係る有機ＥＬ表示装置の駆動方法を示すフローチャート。
【図７】第２実施形態に係る感光体プリンタの概略的な電気的構成を示すブロック図。
【図８】有機ＥＬ表示装置を用いた電子機器を示す斜視図。
【符号の説明】
【００７６】
２…表示パネル、６…補正手段としての制御回路、７，４４…記憶手段としてのメモリ、１０…画素、２１…電気光学素子としての有機ＥＬ素子、４１…プリントヘッドとしてのＬＥＤプリントヘッド、４２…感光ドラム、４３…補正手段としてのコントローラ、４５…発光素子アレイとしてのＬＥＤアレイ、７０…電子機器としてのパーソナルコンピュータ。
【図１】
2005283816.tif 000003
【図２】
2005283816.tif 000004
【図３】
2005283816.tif 000005
【図４】
2005283816.tif 000006
【図５】
2005283816.tif 000007
【図６】
2005283816.tif 000008
【図７】
2005283816.tif 000009
【図８】
2005283816.tif 000010